Podtech/llm-jp-corpus-v4-ja_patent huggingface dataset:
(57)【要約】【課題】  気管支の弱い人や花粉症の人など長い期間マスクをかけ通しているとマスクの耳かけ紐で耳の裏が爛れてカユミや痛みが生じる場合がある。これを防止するための耳かけ紐のないマスクを提供する。【解決手段】  マスク面布の側辺内面に両面粘着テープを設け、顔面に直接マスクを貼着することによって耳かけ紐なしのマスクを形成する。【選択図】    図１
0003125307.tif 000002
【実用新案登録請求の範囲】
【請求項１】
鼻・口を覆うマスク面布（１）の左右両側面内側に両面接着テープ（２）を設けたことを特徴とした耳かけ紐なしのマスク。
【請求項２】
マスク面布（１）の左右両側辺及び上下側縁の内面に接着テープを設けたことを特徴とした耳かけ紐なしのマスク。
【請求項３】
マスクの面布（１）を空気透過性のある紙に替えた請求項１又は２に記載の耳かけ紐なしのマスク。
【考案の詳細な説明】
【技術分野】
【０００１】
本考案は、耳かけ紐の無いマスクに関する。
【背景技術】
【０００２】
一般に使用されているマスクは鼻と口を覆う面布の左右両端に耳かけ紐を設けて使用している。そして気管支の弱い人や花粉症の人などは長い期間マスクを掛け続けている。このため皮膚の弱い人などは耳の裏側が紐によって爛れてカユミや痛みが生じて苦痛を感じている。このためこのような人は耳の裏側に薬を塗ったり、ガーゼのような柔らかい布を当ててマスクを掛けているのが現状である。
【特許文献１】特開平１０−０７１１６９号公報
【考案の開示】
【考案が解決しようとする課題】
【０００３】
このように皮膚の弱い人や爛やすい人などは、マスクの紐の存在によって長い期間苦労をしているが、マスクを外すこともできずに前記のように耳の裏に薬を塗ったり、ガーゼやティッシュペーパーを当てたりして耐えている。
【課題を解決するための手段】
【０００４】
考案者は、この点に鑑み鋭意研究を重ねた結果本考案に到達したものであって、本考案は図示するように長方形のマスクの面布（１）の裏側左右両側辺に両面接着テープ（２）を貼設するか、又は上下側辺を含めて図２に示すように面布（１）の周縁全面に両面接着テープ（２）を貼設し、これによって直接顔面に貼着してマスクとして使用するものであ
る。
【考案の効果】
【０００５】
このように本考案の耳かけ紐無しのマスクは、耳かけ紐が無いため長い期間使用していても耳の裏が爛れてカユミや痛みを生じることなく、皮膚の弱い人でも安心して使用ができる。又顔面との接着具合が悪くなれば簡単に両面接着テープ（２）を交換して貼り替えれば再三使用できるため経済的で、耳かけ紐が邪魔にならず携帯にも便利であるという幾多の使用上の効果を奏する。
【考案を実施するための最良の形態】
【０００６】
添付図面により本考案を実施するための最良の形態を説明すると、図１及び図２はマスクの鼻や口を覆う面布（１）の裏面を示す平面図で、この面布（１）は通常ガーゼ布で形成されていて長方形の形状である。（２）はこの面布（１）の側辺に設けた両面接着テープを示している。そして図１にあっては、面布（１）の左右の側縁にのみ両面接着テープ（２）を貼設し、図２にあっては、面布（１）の周囲の側辺全部に両面接着テープ（２）を貼設している。
【実施例】
【０００７】
添付図面により本考案の耳かけ紐の無いマスクを説明すると、図はマスク本体である面布（１）の裏面を示すもので、図１は面布（１）の左右の両側辺に両面接着テープ（２）を貼着した実施例図であり、図２は面布（１）の上下及び左右の側辺に両面接着テープ（２）を設けたマスクの実施例を示している。
【０００８】
本考案のマスクは、このようにマスクの面布（１）を両面接着テープ（２）を介して顔面に直に接着させて使用するため装着に当っては両面接着テープ（２）の当て紙を剥して顔に鼻と口を覆うようにして密着させて使用する。図において両面接着テープ（２）は面布（１）の側辺に全面直線状に設けてあるが、場合によっては間隔を開けて点接してもよい。
【０００９】
本考案においては、使用するテープ（２）として両面接着テープに限定しているが、これに限ることなく、同一の性質をもつテープ、例えばヌーブラタイプの表面接着テープ、傷バンソウコウタイプの接着テープ、両面テープマスク面固定接着テープ、湿布素材タイプ表面接着テープ等の使用も可能である。
【００１０】
そして本考案のマスクは両面（１）の周辺に設けた接着テープ（２）を貼り替えることにより面布（１）を消毒・洗濯が可能で衛生的に使用が可能である。さらに面布（１）の素材として通気性のある紙を使用することも可能である。
【産業上の利用可能性】
【００１１】
上述のように本考案の耳かけ紐のないマスクは、形状や構造から、気管支や花粉症の人用と限ることなく携帯に便利で、応急用としても利用が可能なため、その利用の範囲はきわめて大きい。
【図面の簡単な説明】
【００１２】
【図１】耳かけ紐の無いマスク面布の実施例図
【図２】耳かけ紐の無いマスク面布の別の実施例図
【符号の説明】
【００１３】
１  マスク面布
２  両面接着テープ
【図１】
0003125307.tif 000003
【図２】
0003125307.tif 000004
(57)【要約】【課題】  道路の道肩に設ける吹払い式の防雪柵を間伐材により製作することによって間伐材の有効利用を目的とする。【解決手段】  間伐材を丸棒状に成形し、空隙を設けて防雪板を形成し、この防雪板の角度を変えて、吹き抜ける風（雪）の強さを調整することによって道路面にできる吹き溜りを解消して交通の安全を図る。【選択図】    図１
0003125309.tif 000002
【実用新案登録請求の範囲】
【請求項１】
間伐材を円柱状に加工して全部材を形成し、防雪板Ａは丸棒（１）を数本、僅かに空隙（２）を設けて置き並べて板状体とし、対向する２本の支柱（３）間の下方に風抜け部分Ｂを残し、該風抜け部Ｂの上部に前記防雪板ＡをＡ１，Ａ２，Ａ３と上中下３段に角度調整可能に装着したことを特徴とした間伐材利用の吹払い式防雪柵。
【考案の詳細な説明】
【技術分野】
【０００１】
本考案は、構造物全体に円柱状に加工した間伐材を使用した吹払い式防雪柵に関する。
【背景技術】
【０００２】
地吹雪の起き易い主に日本海側の道路では、この地吹雪による吹き溜りや視程悪化による運転障害からの事故を防ぐため道路の路肩側に吹払い式の防雪柵が広く設置されている。
【特許文献１】特開２００２−１３８４１７号公報
【特許文献２】特開２００５−４２４７１号公報
【考案の開示】
【考案が解決しようとする課題】
【０００３】
吹払い式防雪柵は、柵の上部に設けた数枚の防雪板の角度を調整することによって風（雪）を下方に集めることで車の運転手の目線高さの吹雪を少なくして視界を得られるようにすること、及び柵の下方の空間から吹き抜ける風との合体によって道路面上につくられる雪の吹き溜りを解消することを目的とする。
【０００４】
一般にこの防雪柵は金属製であって施工が高価となるばかりか、防雪板も空隙のない平板であるため風受板の角度を調整しても吹き溜りを解消する範囲は２車線道路の幅程度であった。
【課題を解決するための手段】
【０００５】
考案者は鉄やアルミ等の金属製の防雪柵に代えて間伐材を利用することを考え鋭意研究を続けた結果本考案を完成させたものであって、本考案は構造物全体に杉の間伐材を利用し、これを丸形の柱状に加工し、特に防雪板に関しては、２図に示すように７本の丸棒を僅かに空隙を設けて置き並べて板状体としたものである。
【考案の効果】
【０００６】
本考案の防雪柵は、上述のように従来からの金属製の防雪柵に代えて廃材とされている間伐材を丸材に加工して利用するものである。特に防雪板を柱状の丸材を組合せて板体を形成し柱状体間に僅かに空隙を設けることによって風の流れの一部を通すことにあり、柵の下側から吹き抜ける風と相俟って雪の吹き溜りの形成位置を風下に移動させることができ、風洞実験の結果によれば吹き溜りの抑止範囲は４車線道路の幅を含んでいる。また、視程の改善効果について従来の金属製の防雪柵と比べると、２車線道路ではやや劣るものの、４車線道路では優っている風洞実験結果となっている。これらより、路面の安全が確保できるため吹雪の時の事故の減少や車の渋滞が緩和される。
【実施例】
【０００７】
添付図面により本考案の吹払い式防雪柵の構成を説明すると、図１は路肩に立設されている防雪柵の一部を切除した正面図であって、符号Ａは防雪板を示していて、図にあっては門型に立設されている支柱（３），（３）間の上部に上Ａ１・中Ａ２・下Ａ３と３段に設けられている。この防雪板Ａについては図２により詳記する。
【０００８】
図２は丸棒（１）によって形成されている。この丸棒（１）は直径５ｃｍに加工された柱状体であって、この丸棒（１）を２ｃｍの空隙を設けて平面状に置き並べて固定して板状体に形成して防雪板Ａを形成する。
【０００９】
従って本考案の防雪柵は、空隙を横方向に形成した丸棒（１）からなる防雪板Ａ３枚を支柱（３）の上部に設け、この下方に風抜け用の空間Ｂとから形成されている。
【００１０】
このため本考案の防雪柵は、従来の空隙のない平板によって形成されている防雪柵に較べて防雪板に空隙（２）を設けることによって風の一部を通すことにより、支柱間の下部の空間Ｂから吹き抜ける風と相俟って防雪柵の風下の風を強めそこでの吹き払い効果を高めることができる。
【００１１】
図４は本考案の防雪柵の側面図を示すもので、防雪板Ａの角度を設けて設置されている状態図および冬期以外に防雪板Ａを収納している状態を例示している。
【産業上の利用可能性】
【００１２】
上述のように本考案の防雪柵は間伐材を有効に利用できると共に、丸棒によって空隙（２）のある防雪板Ａを形成することによって、冬の雪道を吹雪から安全を守ることができる。このため利用価値はきわめて大である。
【図面の簡単な説明】
【００１３】
【図１】一部を切除した正面図
【図２】防雪板の平面図
【図３】図２のａ−ａ断面図
【図４】柵全体の側面図
【符号の説明】
【００１４】
１  丸棒
２  空隙
３  支柱
４，５  基礎柱
Ａ  防雪板
Ｂ  下部の間隙（風抜け部）
Ｇ  地盤
【図１】
0003125309.tif 000003
【図２】
0003125309.tif 000004
【図３】
0003125309.tif 000005
【図４】
0003125309.tif 000006
(57)【要約】      （修正有）【課題】鋼管杭同士の熔接作業の省力化を図れ、取扱い上好適で、安価な継手を提供する。【解決手段】互いに接続する上下の鋼管杭ｐ，ｐ間に介在させる円板状の主体板１を備え、該主体板１の上下両面のそれぞれに、該主体を打出して形成した嵌挿片２を前記鋼管杭ｐの内周縁ｐ´に接する位置にして並設する。【選択図】図２
0003125355.tif 000002
【実用新案登録請求の範囲】
【請求項１】
互いに接続する上下の鋼管杭間に介在させる円板状の主体板を備え、該主体板の上下両面のそれぞれに、該主体を打出して形成した嵌挿片を前記鋼管杭の内周縁に接する位置にして並設した、鋼管杭接続用継手。
【考案の詳細な説明】
【技術分野】
【０００１】
木造家屋の建築に際し、地盤を強固にするために鋼管杭を地中内に打込むことがあるが、本考案はこの鋼管杭を互いに接続して地中内に順次降下させるに際して、鋼管杭同士の接続手段である熔接作業を円滑に行うために用いる鋼管杭接続用継手に関するものである。
【背景技術】
【０００２】
継手短円筒体の下部に嵌挿状態にして組合わせた下側鋼管杭を互いに熔接する一方、継手の上部側に上側の鋼管杭を嵌挿して互いに熔接するようにした構造のものがある（例えば、特許文献１）。
【０００３】
【特許文献１】特開２００５−１７１５３２号公報
【考案の開示】
【考案が解決しようとする課題】
【０００４】
前記従来構造のものは、継手に対し上下の鋼管杭それぞれを別作業で熔接するため手間がかかり、下側鋼管杭に継手を熔接するに際しては継手を支持しなければならないので現場での作業が尚一層煩雑となる。
【０００５】
本考案は、斯様な常況を勘案し、熔接（接続）作業の省力化を図れ、しかも、製品そのものを安価に提供できる継手を提供することを目的として創案したものである。
【課題を解決するための手段】
【０００６】
互いに接続する上下の鋼管杭間に介在させて、前記下側の鋼管杭上に載置させる円板状の主体板を備え、該主体板の上下両面のそれぞれに、該主体板を打出して形成した嵌挿片を前記鋼管杭の内周縁に接する位置にして並設した、構成とする。
【考案の効果】
【０００７】
本考案によれば、主体板の上下に設けた嵌挿片が上下の鋼管杭の内周縁に接した状態で主体板が鋼管杭間に介在するから、鋼管杭との組合わせが安定した状態で熔接作業を行え、しかも、上下の鋼管杭を同時に熔接でき、作業性を向上させる継手を提供できる。
【実施例】
【０００８】
図面は本考案に係る鋼管杭接続用継手の一実施例を示し、図１は斜視図、図２は使用状態を示す断面図である。
【０００９】
図中、Ａは本考案に係る継手を示し、継手Ａは鋼板を打抜いて円形板を得、該円形板を片面側に打出す第一打出し工程と、他の片面側に打出す第二打出し工程を経て製品としたもので三段階のプレス工程によって製品を得られるため安価に提供できるものである。
【００１０】
また、継手Ａは、互いに接続する上下の鋼管杭ｐ，ｐの外径とほぼ一致する径を備えた円板状の主体板１の両面１´，１´´に該主体板１を部分的に打出し形成するようにして等間隔を存してそれぞれ嵌挿片２，２，２を並設して構成したものである。
【００１１】
主体板１三方に配した各嵌挿片２は、前記鋼管杭ｐの内周縁ｐ´に一致する円弧状となし、鋼管杭ｐと組合わせたとき、この嵌挿片２の外面が鋼管杭の前記内周縁ｐ´に（全部又は一部が）接するようにして上下の鋼管杭ｐ，ｐ間のずれを可及的になくして、熔接精度或いは作業性を向上させるようにしてある。
【００１２】
なお、主体板１の、嵌挿片２を打出して生じた窓孔３，３間の羽根車状の中央部片１ａは、その突出状部片１ａ´の各自由端が、前記鋼管杭ｐ，ｐで挟持されるリング状部片１ｂに接続することから、リング状部片１ｂの補強と成り、従って、主体板１全体すなわち継手Ａを比較的薄い金属板で構成でき、その薄い素材を用いることにより製品の安価を期待できるのである。
【００１３】
そして、下部側を地中内に埋入させた下側の鋼管杭ｐの地中より露出する上端部に主体板１の片面１´に突出した嵌挿片２を嵌挿するようにして継手Ａを、前記下側の鋼管杭ｐ上に載置し、該鋼管杭ｐ側から突出するようにして配置した、主体板１の他の片面１´´側の嵌挿片２を内嵌するようにして上側の鋼管杭ｐを下側の鋼管杭ｐ上に継手Ａを介して起立させ、該起立状態を保持させつつ各材ｐ，ｐ，Ａを互いに熔接することにより鋼管杭ｐ，ｐ同士の接続が行われるのである。
【図面の簡単な説明】
【００１４】
【図１】斜視図。
【図２】使用状態を示す断面図。
【符号の説明】
【００１５】
１      主体板
２      嵌挿片
ｐ      鋼管杭
ｐ´    内周縁
【図１】
0003125355.tif 000003
【図２】
0003125355.tif 000004
(57)【要約】【課題】  製袋充填包装機では、被包装物の間隔を引き離すためにスピード差のある前後２基のベルトコンベヤを設置すると、これら両コンベヤ間で被包装物の移乗がスムーズでなくなるのを改善する。【解決手段】第１ベルトコンベヤ２１から第２ベルトコンベヤ２２に移乗する被包装物を、連続的なチューブフイルム内に等間隔で搬入する装置であって、前記第１コンベヤ２１の複数の並列ベルト１０間で前記第１ベルトコンベヤ２１と同速で回転する中間ベルト３０を、高速回転する前記複数並列の第２ベルトコンベヤ２２間まで延長して、前記第１ベルトコンベヤ２１から第２ベルトコンベヤ２２への、前記被包装物の移乗をスムーズにする。【選択図】図１
0003125847.tif 000002
【実用新案登録請求の範囲】
【請求項１】
複数の並列ベルトからなる第１コンベヤと、前記第１コンベヤと直列状に配置しかつ前記第１コンベヤよりも高速で回転する複数並列の第２ベルトコンベヤとを備え、前記第１ベルトコンベヤから前記第２ベルトコンベヤに移乗する被包装物を同第２ベルトコンベヤの高スピードでもって引き離すと共に、引き離した前記各被包装物を、前記複数並列の前記第２コンベヤのベルト間を等間隔で走行する各アタッチメントで引っ掛けて、帯状フイルムを連続的に筒状化するチューブフイルム内に等間隔で搬入する装置であって、前記第１コンベヤの複数の並列ベルト間で同第１ベルトコンベヤと同速で回転する中間ベルトを、前記複数並列の第２ベルトコンベヤ間まで延長して配置したことを特徴とする被包装物搬入装置。
【考案の詳細な説明】
【技術分野】
【０００１】
本考案は、帯状フイルムを連続的にチューブ化する一方、縦列等間隔な被包装物を前記チューブフイルム内に順次搬入して包装する包装機において、前記チュブフイルムへの前記被包装物の搬入コンベヤ装置に関する。
【０００２】
下記の特許文献１には、フオーマを通して連続移動する帯状フイルムを、前記フオーマでもってチューブ化する構成を示し、一方、前位の第１ベルトコンベヤで持って運搬する被包装物を、その後位の第２ベルトコンベヤの高速スピードでもって引き離すと共に、さらにその後位の第３コンベヤでもって、前記の引き離された各被包装物を一定の間隔で前記のチューブフイルム内に搬入して包装する装置を開示する。しかし前記の被包装物がブロック状の場合は、前位のベルトコンベヤから後位のベルトコンベヤへの移乗がスムーズであるが、同被包装物が小物集合体の場合は、前位のベルトコンベヤと後位のベルトコンベヤとの繋ぎ部分で躓き、移乗がスムーズでないという問題が起こりやすい。
【０００３】
【特許文献１】実開平３−６６８０６号公報
【考案の開示】
【０００４】
本発明は前記の問題点を解決する装置であつて、複数の並列ベルトからなる第１コンベヤと、前記第１コンベヤと直列状に配置しかつ前記第１コンベヤよりも高速で回転する複数並列の第２ベルトコンベヤとを備え、前記第１ベルトコンベヤから前記第２ベルトコンベヤに移乗する被包装物を同第２ベルトコンベヤの高スピードでもって引き離すと共に、引き離した前記各被包装物を、前記複数並列の前記第２コンベヤのベルト間を等間隔で走行する各アタッチメントで引っ掛けて、帯状フイルムを連続的に筒状化するチューブフイルム内に等間隔で搬入する装置であって、前記第１コンベヤの複数の並列ベルト間で同第１ベルトコンベヤと同速で回転する中間ベルトを、前記複数並列の第２ベルトコンベヤ間まで延長して配置する。
【０００５】
第１ベルトコンベヤに搭載して運搬する被包装物は、前記第１コンベヤの複数の並列ベルト間で同第１ベルトコンベヤと同速で回転する中間ベルトによっても運ばれ、この中間ベルトはさらに、前記複数並列の第２ベルトコンベヤ間まで延長配置しているので、前記第１ベルトコンベヤと、前記第２ベルトコンベヤとの境界でトラブルなく前記第２ベルトコンベヤに移乗を果たすのである。
【実施例１】
【０００６】
図３に平面で表した装置は、両側２列のベルト１０からなる第１コンベヤ２１と、前記第１コンベヤ２１と直列状に配置した両側２列のベルト１１からなる第２コンベヤ２２と、前記第１コンベヤ２１の複数の並列ベルト１０間で同第１ベルトコンベヤ２１と同速で回転する中間ベルト３０を、前記複数並列の第２ベルトコンベヤ２２間まで延長した構成を示しており、前記中間ベルト３０及び前記の第２ベルトコンベヤ２２は、前記第１コンベヤ２１よりも高速で回転する構成である。
【０００７】
従って図４のごとく、前記第１ヘルトコンベヤ２１によって運搬される被包装物２３（例えば４本包みの乾電池）は、高速なる第２ベルトコンベヤ２２に移乗することによって各グループ毎に引き離され、エンドレスチェン２４に等間隔に支持されるアタッチメント２５に引っ掛けられて運ばれ、図５のごとく帯状フイルム２６を、フオーマ２７を通して形成するチューブフイルム２８内に搬入することになるのてある。
【０００８】
図１において中間ベルト３０は、第２コンベヤ２２のベルト１１を支持するプーリ１４の固定軸１５にフリーな状態に支持したプーリ２９に支持しており、従って前記中間ベルト３０は、前記第２コンベヤ２２のスピードの影響を受けることなく第１コンベヤ２１の各ベルト１０と同速回転であり、図２のごとく被包装物２３は前記中間ベルト３０に乗って、前位のプーリ１３と後位のプーリ１４間をスムーズに通過するのである。
【図面の簡単な説明】
【０００９】
【図１】部分的平面図
【図２】前図におけるII−II矢視線図
【図３】ベルトコンベヤの平面図
【図４】前図の側面図
【図５】前図の延長図
【符号の説明】
【００１０】
１０‥‥ベルト
１１‥‥ベルト
１３、１４‥‥プーリ
２１‥‥第１ヘルトコンベヤ
２２‥‥第２ベルトコンベヤ
２３‥‥被包装物
２５‥‥アタッチメント
２６‥‥帯状フイルム
２７‥‥フオーマ
２８‥‥チューブフイルム
３０‥‥中間ベルト
【図１】
0003125847.tif 000003
【図２】
0003125847.tif 000004
【図３】
0003125847.tif 000005
【図４】
0003125847.tif 000006
【図５】
0003125847.tif 000007
(57)【要約】【課題】  調理鍋などの容器を使用して一定濃度のスープ液などを得る際に、容器に供給される水などの液体の水位を容易に計測できる水位計測具を提供する。【解決手段】  容器内に設置する水位計測具であって、容器内の水の重力方向に挿入される計測棒と、該計測棒を上下方向に移動可能に案内する筒と、該筒と一体的に結合された浮きとで構成され、計測棒の上部には水の水位を示す目盛り線を形成すると共に、下部には錘を形成し該錘が容器の底に当接して容器内の水の変化に伴って浮きが計測棒上を移動することによって水位を計測する。【選択図】図１
0003125822.tif 000002
【実用新案登録請求の範囲】
【請求項１】
容器内に取り出し自在に設置する水位計測具であって、容器内に供給される水の重力方向に挿入される計測棒と、該計測棒を上下方向に移動可能に挿通し案内する筒と、該筒と一体的に結合された浮きとで構成され、前記計測棒には容器内に供給される水の水位を示す目盛り線を形成すると共に下部には錘を形成し、該錘が容器の底に当接して容器内の水位の変化に伴って浮きが浮上し計測棒上を移動することにより水位を計測することができることを特徴とする水位計測具。
【考案の詳細な説明】
【技術分野】
【０００１】  本考案は、調理鍋などの容器に供給される水などの液体の水位を容易に計測できる水位計測具に関する。
【背景技術】
【０００２】  従来、調理鍋などの容器を用いて一定濃度の調理用スープ液を作る際に、スープ液の濃度に応じてスープ液に見合う水を透明な計量カップで何回かに分けて容器に供給していた。また、炊飯器で米などを炊飯する場合、炊飯器用内鍋を流し台などに置いて、洗米した米の容量に対して炊飯器用内鍋に表示された目盛り線を見ながらカップを使用して水を注いで炊飯を行っていた。
【考案の開示】
【考案が解決しようとする課題】
【０００３】  しかしながら、従来のスープ液を作る方法においては、計量に使用する透明な計量カップの目盛り線が見にくかったり、計量作業が煩わしかったり、また何回かに分けて計量カップにより容器に注ぐ水量に誤差を生じて所定の水量を得ることができないなどの難点があった。さらに、米などを炊飯する場合に炊飯器に内装する内鍋を流し台上に置いて水を入れる際に、流し台が傾斜状態にあるときには内鍋に表示された目盛り線と、洗米した後に供給される水の水位の合せ方に個人差が出て水量に誤差を生じ適切な水量で炊飯が行えないなどの問題があった。本考案は上記従来の問題点を解消して容器内に供給する水位を正確に計測することを目的とする。
【課題を解決するための手段】
【０００４】  容器内に取り出し自在に設置する水位計測具であって、容器内に供給される水の重力方向に挿入される計測棒と、該計測棒を上下方向に移動可能に挿通し案内する筒と、該筒と一体的に結合された浮きとで構成され、前記計測棒には容器内に供給される水の水位を示す目盛り線を形成すると共に下部には錘を形成し、該錘が容器の底に当接して容器内の水位の変化に伴って浮きが浮上し計測棒上を移動することにより水位を計測することができることを特徴とする。
【考案効果】
【０００５】  本考案は、上記のように構成されており、水位計測具の計測棒を容器内の水の重力方向に挿入すると共に容器の略中央部に設置することにより、容器内の水位を正確に計測することができ水を適量にするという目的が誤差なく達成できる。また、水位計測具の取り扱い操作が容易で使い勝手の優れたものである。
【考案を実施するための最良の形態】
【０００６】  本考案の実施の形態について、以下図面により説明する。
図１は、本考案に係る水位計測具を容器内の水中に入れて使用した使用状態を示す縦断面図である。
１は水位計測具で、この水位計測具１はスープ液などを作る際に調理鍋などの容器２内に注いだ水の中に入れて使用するものである。３は計測棒でここでは軽量なプラスッチック材料で形成されており、上方の周面には容器２内に供給される水の水位を示す目盛り線４が形成されて水の重力方向に挿入される。計測棒３の下端部には調理鍋などの容器２の底面に安定して当接するように錘５が設けられており、この錘５は計測棒３の下端部に埋め込まれ形成されここではその先端部分が円錐形、角錐形など適宜の形状に加工されている。６は筒で、中空形状で軽量のプラスチック材などで形成され一端が開口して前記計測棒３が移動可能に挿通され、他端が浮き８に上面側に接着剤などで固定されている。浮き８は水に対して浮力が増すようにここでは発泡プラスチック材などの軽量材が使用され、平板形で円形、多角形など適宜の形状に形成される。前記の筒６と浮き８は各々別個の材料で形成できるが、同一の材料で一体的に成形することが好ましい。また、浮き８の形状を中空形状に形成することも可能である。尚、開口する前記筒６の一端側の端縁部が基準縁７（“０点目盛り”）となっており計測棒３の水位を示す目盛り線４に対応する。【０００７】  スープ液の濃度に応じてそれに見合う水を容器２内に注ぎ込み、水位計測具１を水位の低い位置で容器２の略中心位置に置くことにより浮き８は水面上に浮上する。そして、水面の変化に伴ない容器２の底に下端部を当接し直立する計測棒３に沿って浮き８が徐々に上昇する。次いで、筒６の基準縁７が計測棒３に形成した目盛り線４に到達した時点で所定の水量となる。このように一定濃度のスープ液に見合う水量と、水中に挿入されて直立する計測棒３の目盛り線４との関係を予め設定しておくことにより所定の水量を得ることができる。【０００８】  本考案に係る水位計測具１を炊飯器に使用する場合には、先ず、計測棒３を研いだ米の中に差込みその下端部を炊飯器用内鍋の底に当接した後、一体形成する浮き８と筒６とを共に計測棒３に挿通し水面に浮上させて炊飯器用内鍋の水位を計測する。予め、米量と水量との関係を計測棒３に水位として目盛り線４で表示することにより炊飯器用内鍋が流し台などに傾斜して置かれた場合であっても、その傾斜面と水量との関係が使用者の判断を必要とすることなく米量に応じた正確な水量が得られ、水を適量にする目的が誤差なく容易に達成することができるものである。
【産業上の利用可能性】
【０００９】  本考案に係る水位計測具は、上記のように構成されているので調理鍋などの容器を使用して一定濃度のスープ液を得ることができる。また、炊飯器で炊飯する場合に炊飯器用内鍋を傾斜した流し台などに置いた場合でも、傾斜面と水量との関係が使用者の判断を必要とすることなく米量に応じた水量が得られ所望の炊飯が行える。
【図面の簡単な説明】
【００１０】図面は、本考案に係る水位計測具の一実施例を示す。
【図１】    本考案に係る水位計測具を容器内の水中に入れて使用した使用状態を示す縦断面図である。
【符号の説明】
【００１１】      １・・・水位計測具
２・・・容器
３・・・計測棒
４・・・目盛り線
５・・・錘
６・・・筒
７・・・基準縁
８・・・浮き
【図１】
0003125822.tif 000003
(57)【要約】 【課題】  白髪などの目立たない微細ゴミは、一時的に台や紙の上に置いておくと、いつの間にか飛散してしまう。見えにくい微細ゴミは、一時的に置いて後から取るのでは無く、ゴミが発生したら直ぐ固定しておくことが必要である。耳垢等の微細ゴミも同様である。本考案は、身近に発生する微細ゴミを発生時に直ちに固定するのに最適な技術を提案するものである。【解決手段】  本考案は、長方形の紙を長手方向に三分して、中央部分に中央粘着部を設け、その中央粘着部の上に離型紙を層着し、中央部分に連なる両脇の部分をバンドＡ、バンドＢとして中央粘着部が外側となるように環状に形成し、バンドＡの端部付近に端部粘着部を設け、バンドＢを端部粘着部に付着させてバンドＡとバンドＢを結合し、リストバンドとする。【選択図】  図１
0003125828.tif 000002
【実用新案登録請求の範囲】
【請求項１】
長方形の紙を長手方向に三分して、中央部分に中央粘着部を設け、その中央粘着部の上に離型紙を層着し、中央部分に連なる両脇の部分をバンドＡ、バンドＢとして中央粘着部が外側となるように環状に形成し、バンドＡの端部付近に端部粘着部を設け、バンドＢを端部粘着部に付着させてバンドＡとバンドＢを結合した微細ゴミ固定用リストバンド。
【考案の詳細な説明】
【技術分野】
【０００１】
白髪等の身近に発生する微細ゴミを粘着シートによって固定し、飛散を防止するリストバンドに関する。
【背景技術】
【０００２】
従来、何かの品物等に付着した又は載っている微細なゴミや埃等を粘着シートで取り込む技術が知られており、特許文献１および特許文献２に記載されている。これは、シート上に設けた粘着部をゴミや埃等に押し当てて粘着部に付着させて取り込むのである。
【特許文献１】特開平１０−１４８５６号公報
【特許文献２】特開２００５−３２８９１９号公報
【考案の開示】
【考案が解決しようとする課題】
【０００３】
白髪を抜き取って一時的に台や紙の上に置いておくと、目立たないものだからいつの間にか飛散してしまう。見えにくい白髪のようなものは、一時的に置いて後から取るのでは無く、抜き取ったら直ぐ固定しておくことが必要である。耳垢等の微細ゴミも同様である。本考案は、身近に発生する白髪等の微細ゴミを、発生時に直ちに固定する技術を提案するものである。
【課題を解決するための手段】
【０００４】
本考案は、長方形の紙を長手方向に三分して、中央部分に中央粘着部を設け、その中央粘着部の上に離型紙を層着し、中央部分に連なる両脇の部分をバンドＡ、バンドＢとして中央粘着部が外側となるように環状に形成し、バンドＡの端部付近に端部粘着部を設け、バンドＢを端部粘着部に付着させてバンドＡとバンドＢを結合し、リストバンドとする。
【０００５】
すなわち、使用時に離型紙を取り除き、リストバンドを手首に装着し、白髪を抜き取ったら直ぐリストバンドの中央粘着部にくっつけて固定するのである。終了時には、端部粘着部で付着結合された環状バンドを端部粘着部で解離させ、両バンド部分を中央粘着部の上に覆って微細ゴミを包み込み、ゴミ箱等に捨てることが出来る。
【考案の効果】
【０００６】
中央粘着部を外側に向け、環状に形成したバンド部を手首に装着してリストバンドとすることによって、粘着材を身近に携帯し、例えば、白髪を抜き取るなど、身近に発生した微細ゴミを直ぐリストバンドの粘着部にくっつけて固定することが出来るので、白髪等の微細ゴミの所在が不明になったり、飛散することがない。また、端部粘着部から解離してバンド部を中央粘着部の方へ廻し、微細ゴミの上から包み込んでそのままゴミ箱に捨てることが出来る。
【０００７】
紙一枚であるから保管は簡単で、必要な時に取り出せばよい。中央粘着部には離型紙が層着されているので、この上に左右のバンド部を折り畳めば、保管場所も少なくてすみ、携帯することも可能である。
【実施例】
【０００８】
図１は、実施例の円周を通る断面図である。長方形の紙６を長手方向に三分して中央部分に中央粘着部１を設け、その上に離型紙２を層着する。中央部分に連なる両脇の部分は、バンド部３，３として環状に形成し、バンドとする。長方形の長辺は、環状に形成して手首に装着出来る程度の寸法であり、短辺は、微細ゴミが固定出来る程度、例えば、４〜５ｃｍ位の寸法である。バンド部３の一方をバンドＡとし、その端部付近に端部粘着部４を設ける。端部粘着部４は、長手方向ではバンドＡの中央から端部寄りの適宜の位置に、短辺方向では中央部付近に設け、例えば、２〜３平方センチメートル程度の面積の粘着部分があれば良い。要は、バンドＡとバンドＢを結合して一つのバンドとして機能するように、位置と面積を定めるのである。中央粘着部１および端部粘着部４には、既知の粘着材が紙に層着されている。
【０００９】
図２は、実施例の展開平面図である。使用前には、展開した平面状で保管するか、または、長手方向に三等分する三等分線５，５で谷折りし、バンドＡを中央部分に重ね、その上にバンドＢを重ねてコンパクトな形で保管する。必要に応じて端部粘着部４の上に離型紙を層着する。端部粘着部４が中央粘着部１と同じ平面側にあるときは、離型紙２の両面に離型性を持たせておけば良い。端部粘着部４の粘着力を適度に落としておくことで端部粘着部４には離型紙を必要としないこともある。
【００１０】
微細ゴミを固定して終了したときは、端部粘着部４から結合を解離して、バンド部３，３を中央粘着部１の上に重ね、微細ゴミを包み込んで捨てる。
【図面の簡単な説明】
【００１１】
【図１】実施例の円周を通る断面図である。
【図２】実施例の展開平面図である。
【符号の説明】
【００１２】
１    中央粘着部
２    離型紙
３    バンド部
４    端部粘着部
５    三等分線  
６    長方形の紙
【図１】
0003125828.tif 000003
【図２】
0003125828.tif 000004
(57)【要約】【課題】網戸の持つ本来の長所を損なうことなく、従来の網戸の短所である花粉症対策の不備を改善し、網戸に花粉症対策に効果を有する手段を提供する。【解決手段】本考案は、上述した課題を解決する手段として、網部分に酸化チタンをコーティングし、光触媒超親水性により、網戸を通過する花粉を付着させ室内に流入する花粉量を削減し、有機物分解効果により付着した花粉および花粉に含まれるアレルギー原因物質を分解する。【選択図】図１
0003125816.tif 000002
【実用新案登録請求の範囲】
【請求項１】
網（ネット）部分には、酸化チタンをコーティングすることにより、光触媒超親水性の機能により、網戸を通過する空気により運ばれる花粉を水分に付着させ室内に流入する花粉量を削減することを特徴とする網戸。
【請求項２】
網（ネット）部分を酸化チタンにてコーティングすることにより、光触媒の機能の一つである有機物を分解する機能を有し、例えば、付着した花粉および花粉に含まれるアレルギー原因物質を分解することを特徴とする網戸。
【考案の詳細な説明】
【技術分野】
【０００１】本考案は、花粉症対策に効果を有する網戸に関する。
【背景技術】
【０００２】網戸は日本の気候風土に適した生活用具であり、特に高温多湿な夏季においては、窓を開け網戸を使用することにより、自然の温度・湿度の変化、風の流れ、草木の触れ合う音、虫の鳴き声などの中で生活し、眠りに就いてきた。しかし近年は、家庭用のエアコンが普及し就寝時においてもエアコンを使用し、網戸を利用することが少なくなってきた。そしてセンサー機能などにより室内の温度と湿度をコントロールし、騒音を無くし、無風状態に近づけることにより快適性を提供できるものとして技術開発がなされてきた。【０００３】これに対し、室内環境つまり温度・湿度・音・光などをデジタル化によりコントロールすることに、特に人間工学的見地より疑問が呈せられている。また、これに加え、現代社会における過度なエアコンの使用がヒートアイランド現象、都市環境の悪化を生み出し、地球温暖化現象の一因となっているとも考えられている。【０００４】このため網戸が再評価されているが、従来の網戸では花粉症対策などの課題がある。花粉症対策としては、網目を微細なものとし、例えば２５ミクロンとすることにより、花粉の室内への浸入を防ぐ技術などが提供されている。しかし課題は、製造コストが著しく上昇することに加え、室内への外気の流入量も減少するという問題などがある。
【考案の開示】
【考案が解決しようとする課題】
【０００５】本考案の解決しようとする課題は、網戸の持つ本来の長所を損なうことなく、従来の網戸の短所である花粉症対策の不備を改善し、花粉症対策に効果を有する手段を提供することである。
【課題を解決するための手段】
【０００６】第一に、主として花粉症対策としての手段および網戸本体の防汚手段であるが、請求項１に記述した通り、網（ネット）部分には、酸化チタンをコーティングすることにより、光触媒超親水性の機能により、網戸を通過する空気により運ばれる花粉を付着させ室内に流入する花粉量を削減することの効果を有することを特徴とする。【０００７】第二に、花粉症対策および抗菌・殺菌などの光触媒機能を応用する手段であるが、請求項２に記述した通り、網（ネット）の部分を酸化チタンにてコーティングすることにより、光触媒の機能の一つである有機物を分解する機能を有し、例えば、付着した花粉および花粉に含まれるアレルギー原因物質を分解する効果を有することを特徴とする。【０００８】上記の記述において、第一、第二と記述したが、これは優先順位を表すものではなく、この内の一つ或いは全ての手段あるいは機能を有することを特徴とする。
【考案の効果】
【０００９】請求項１に記載の、網の部分を酸化チタンにてコーティングすることにより、光触媒の機能としての親水性により、防汚効果とともに、網糸の部分が水分にて薄く覆われることにより、網戸を通過する空気に含まれる花粉を吸着することができ、室内への花粉の流入量を削減する効果を有するものである請求項２に記載の通り、光触媒の機能としての有機物分解により、網戸に吸着した花粉および花粉に含まれる蛋白質などのアレルギー原因物質を分解し、花粉症対策などに効果を有するものとなる
【考案を実施するための最良の形態】
【００１０】本考案の実施するための最良の形態としては、実施例として花粉症対策などの手段の概略を次の通り例示する。
【実施例】
【００１１】花粉症対策などに効果を有する手段として、網戸の網の部分に二酸化チタンをコーティングすることにより光触媒の機能を利用したものである。
網の部分は通常は有機物を素材としており、光触媒により網自体を分解し劣化させる作用があるが、既に公知の技術として有機物の素材を劣化させない二酸化チタンのコーティング技術が提供されており、これにより光触媒機能を応用する網戸とする。
光触媒の機能としての親水性により、防汚機能とともに、網糸の部分が水分にて薄く覆われることにより、網戸を通過する空気に含まれる花粉を吸着することができ、室内への花粉の流入量を削減するものである。
また光触媒の機能としての有機物分解により、網戸に吸着した花粉および花粉に含まれる蛋白質などのアレルギー原因物質を分解し、花粉症対策などに効果を有するものとなる。通常、花粉は水分が付着することにより外殻が割れ、内部よりアレルギーを引き起こす抗原が溶け出すものであるが、親水性のある網戸に付着した花粉は、効果的に有機物分解機能によりアレルギー原因物質を分解するものとなる。
【図面の簡単な説明】
【００１２】
【図１】本考案による網戸の概略チャート図である。
【図１】
0003125816.tif 000003
(57)【要約】【課題】介護用パッドにおいて、形態が固定化されず、患者の患部に優しくフィットして病状に合った寝姿勢を保つこと。【解決手段】注排水口２を有する合成樹脂製袋体１に、吸水性ポリマー５及び／又は高分子吸収材４と綿６とを投入してなる介護用パッド基材。【選択図】図１
0003125819.tif 000002
【実用新案登録請求の範囲】
【請求項１】
注排水口を有する合成樹脂製袋体に、吸水性ポリマー又は高分子吸収材と綿とを投入してなることを特徴とする介護用パッド基材。
【請求項２】
注排水口を有する合成樹脂製袋体に、吸水性ポリマーと高分子吸収材と綿とを投入してなることを特徴とする介護用パッド基材。
【請求項３】
上記綿が、パルプ綿、真綿又は化学繊維綿のうちのいずれか一種、又はこれらの二種以上を混紡してなる請求項１又は請求項２に記載の介護用パッド基材。
【考案の詳細な説明】
【技術分野】
【０００１】  本考案は、寝たきり患者の床ずれを防止するために使用される介護用パッドの基材に関するものである。
【背景技術】
【０００２】  寝たきり患者にとって、一番の大敵は、「床ずれ」によって発生する皮膚の劣化あるいは壊死であるが、現在、それを予防、治療、改善するために、さまざまな介護用パッドが使用されている。例えば、代表的なものでは、エアークッションであったり、あるいは中身に綿やウレタン等を使用した一般的なクッション等である。
【考案の開示】
【考案が解決しようとする課題】
【０００３】  ところが、これらのクッションは、形態が殆んど固定化しており、患者の病状に合わせた寝姿勢を保つのには機能的に不十分であった。そのため、床ずれやその後遺症を解消するには至っていないのが現状である。【０００４】  本考案は、使用にあたって、形態が固定化されず、患者の患部に優しくフィットして病状に合った寝姿勢を保つことで、床ずれとその後遺症に悩む多くの寝たきり患者の負担を軽減することを目的としている。
【課題を解決するための手段】
【０００５】  上記目的を達成するため、本考案者は「おしめ」等に利用されている「吸水性ポリマー」や「高分子吸収材」が、水を含むとゼリー状の物質に変化することに着目し、これと「綿」を合わせれば、中身が流動体となって型が固定化されないことを見出し、本考案を完成させた。【０００６】  すなわち、本考案による介護用パッド基材は、注排水口を有する合成樹脂製袋体に、吸水性ポリマー又は高分子吸収材と綿とを投入してなることを特徴とする。また、別の介護用パッド基材では、同袋体に、吸水性ポリマーと高分子吸収材と綿とを投入してなることを特徴とする。
【考案の効果】
【０００７】  上記介護用パッド基材を用いた介護用パッドによると、適量の水を注入することで、吸水性ポリマー及び／又は高分子吸収材と綿が水を吸って、中身全体がゼリー状の流動体となり、型が固定化されなくなる。したがって、これを患者の患部下にあてがえば、患者の患部に優しくフィットして病状に合った寝姿勢を保つことができる。
【考案を実施するための最良の形態】
【０００８】  本考案に用いられる綿は、パルプ綿、真綿又は化学繊維綿のうちのいずれか一種が好ましいが、これらの二種以上を混紡したものを用いることも可能である。【０００９】  また、合成樹脂製袋体の材質としては、プラスチックフィルムとして日常的に使用されているフィルム、例えば、ＰＥ（低密度ポリエチレン、中密度ポリエチレン、高密度ポリエチレン）、ＬＬＤＰＥ（リニアローデンポリエチレン）、ＰＰ又はＣＰＰ（延伸ポリプロピレン、未延伸ポリプロピレン）、ＰＶＣ（塩化ビニル（無可塑・軟質））、ＰＥＴ（ポリエステル）、ＮＹ（ナイロン）、ＰＳ（ポリスチレン）、ＰＶＡ（ビニロン）等が挙げられる。また、これらの合成樹脂フィルムに、上記「ＣＰＰ」や「ＰＥ」、「ＬＬＤＰＥ」又はＡＬ（アルミニウム箔）等の樹脂、又は金属を二種以上ラミネートした合成樹脂ラミネートフィルムを用いることも可能である。
【実施例】
【００１０】  次に、本考案による介護用パッド基材の好ましい実施例を、図面に基づいて説明する。図中、合成樹脂製袋体１は、枕状に成形されているが、形状はこれに限られず、袋体となっていれば、どのような形状でもよい。この合成樹脂製袋体１には、その一方に凸状の注排水口２が設けられおり、この注排水口２を開口封止するため、封止具３が別途用意されている。そして、このような合成樹脂製袋体１には、注排水口２から、高分子吸収材４と吸水性ポリマー５及びカットパルプ綿６がそれぞれ適量分投入されている。このカットパルプ綿は、２ｃｍ角から３ｃｍ角が好ましい。また、このカットパルプ綿に代り、真綿や合成繊維綿を使用することも可能であり、これらの二種以上を混紡したものを使用することも可能である。なお、高分子吸収材４と吸水性ポリマー５は、選択的に投入してもよい。【００１１】  上記介護用パッド基材の使用にあたっては、注排水口２から適量の水を注入してから、注排水口２を封止具３により封止する。合成樹脂製袋体１に水を注入すると、この水を高分子吸収材４と吸水性ポリマー５及びカットパルプ綿６がそれぞれ吸水して、全体がゼリー状の流動体となった介護用パッドが出来上がる。この介護用パッドは、中身の流動性により型が固定されないので、患者の患部にソフトにフィットする。したがって、患者の病状に合った寝姿勢を長時間保つことができる。
【図面の簡単な説明】
【００１２】
【図１】  本考案による介護用パッド基材の断面図である。
【図２】  図１のパッド基材に水を注入して使用状態となった介護用パッドの断面図である。
【符号の説明】
【００１３】  １    合成樹脂製袋体
２    注排水口
３    封止具
４    高分子吸収材
５    吸水性ポリマー
６    カットパルプ綿
【図１】
0003125819.tif 000003
【図２】
0003125819.tif 000004
(57)【要約】      （修正有）【課題】従来はビニール袋に手を入れペットの糞の処理をしていた、糞を持つ感触が悪く、軟らかい糞は取り残しがあった。【解決手段】ハート形筒状の下部を糞の取り入れ口用に開けることを特徴とする糞処理具は糞処理具の正面と背面を押す事によりハートの形が作られ、正面と背面で糞を包み込み、軟らかい糞の取り残しも少ない。【選択図】図４
0003125820.tif 000002
【実用新案登録請求の範囲】
【請求項１】
ハート形筒状の下部を糞の取り入れ口用に開けた糞処理具は正面と背面を押す事によりハートの形が作られる、ハートの糞処理具。
【請求項２】
ハート形筒状の下部を糞の取り入れ口用に開けた糞処理具の左右側面に落下防止機能の突起を付けた落下防止機能付き糞処理具。
【考案の詳細な説明】
【技術分野】
【０００１】  この考案は、ペットの糞処理具に関するものである。
【背景技術】
【０００２】従来は、ビニール袋に手を入れペットの糞の処理をしていた。
【考案が解決しようとする課題】
【０００３】  これはつぎのような問題点があった。
糞を持つ感触が悪く，硬い糞は挟めるが、軟らかい糞等は取り残すことがある。
【課題を解決するための手段】
【０００４】・ビニール袋と手の間に入る、ハート形筒状の下部を切り取り、糞処理具を作る。
・左右側面に落下防止機能のハートの突起を付ける。
・糞を包みとる。
以上の構成よりなる糞処理具である。
【考案の効果】
【０００５】・プラスチックなどの処理具には復元力があり、糞処理具の正面と背面を押ことにより力が平均的に伝わり、左右側面にハートの形が形成され正面と背面で糞を包み込む、軟らかい糞の取り残しも少ない。
・糞処理具の左右側面に、高さ２分の１の、落下防止機能のハート形の突起を付けることにより、糞処理後の汚物は落ちにくい。
・ビニール袋と併用することにより汚れが不着せず常時衛生的であり汚物が落ちにくい。
ハートの形がかわいい糞処理具は、正面と背面を押す事によりハートが形つくられる、形状と素材の性質を最大に活用し、衛生的で悪感触がなく糞取り入れ後、糞処理具の口を上方向にすることのより汚物の落下は防げる。
【考案を実施するための最良の状態】
【０００６】以下、本考案の実施例について説明する。
・処理具の材質、プラスチック、金物，などが適している。
・処理具の形、ハートの筒状の下部を糞の取り入れ口用に開ける事により、長い糞の収納を可能にした、正面と背面を押す事によりハートの形が形成される糞処理具である。
・左右側面に落下防止機能の突起を付ける。形は自由。
・使用方法、ビニール袋の中に、糞の取り入れ口を下方向に処理具を入れ糞にかぶせる、ビニール袋の中の処理具を親指とその他の指で押し糞を包む袋を裏返す、ビニール袋の中に糞が入る、糞入りビニール袋の口を縛る、取り入れ口を上方向にして、汚物を持ち帰る。
細く、長い，ペットの糞を簡単かつ衛生的に回収可能なハートの糞処理具である。
落下防止機能付きハートの糞処理具である。
本考案は、以上のような構造でこれを使用するときは、糞の悪感触が手に伝わらない、糞の取り残しも少なくなる、落下防止機能を付ける事により汚物は落ちにくい。
【図面の簡単な説明】
【０００７】
【図１】  本考案の平面図である。
【図２】  本考案の底面図である。
【図３】  本考案の正面図、背面図は同じである。
【図４】  本考案の右側面図、左側面図は同じである。
【図５】  その他の落下防止機能付き右側面図、左側面図は同じである。
【符号の説明】
【０００８】  １ハートの糞処理具
２ハートの落下防止機能
【図１】
0003125820.tif 000003
【図２】
0003125820.tif 000004
【図３】
0003125820.tif 000005
【図４】
0003125820.tif 000006
【図５】
0003125820.tif 000007
(57)【要約】      （修正有）【課題】木製品等を取り外した際の壁と木材等の傷が小さく目立たなく、先端を２箇所にする事で２箇所同時に揃えて固定できるピンを提供する。【解決手段】一般的な釘の使用方法と同じ方法でコの字型の鋼鉄の板状のピンを木材等に打つがピンがコの字型で先端が２箇所あり、2箇所同時に木製品等に打ち込めば、ピンの先端に続く板状の部分の木材等の中に打ち込まれる部分は常に平行であり、その部分を繋ぐ部分はピンを打ち込んだ状態でも木材等の外部に出ていて打ち始めの段階できちんと角度を決めれば左右２箇所揃えて打つのも簡単であり板状なので断面積が市販の釘と同じでも曲がりにくく、2本のピンが繋がった部分も板状なのでピンを抜くのもピンとそれが打ち込まれた木材等の間にマイナスドライバーのような板状の物を差し込んで持ち上げれば簡単に抜くことが出来、また抜いた跡も小さい縦型の傷しか残らないので補修が簡単である。【選択図】図１
0003125899.tif 000002
【実用新案登録請求の範囲】
【請求項１】
ピンの刃物状の二つの先端部分が同時に、木材などに刺さる為、二つの先端部分を同じ角度で打ち込むことが出来、鋼鉄の板状なので曲がりにくく、大きな曲げモーメントやせん断力を負担させる事が出来、取り外した場合の傷跡の幅が小さく目立たないことを特徴とするコの字型の鋼鉄の板状のピン。
【考案の詳細な説明】
【技術分野】
【０００１】
この考案は、壁に木材などを取り付ける場合に2箇所の先端部分を同じ角度で打ち込むことが出来、取り外し後の傷跡も幅が小さく跡が目立たない、先端が2箇所あるコの字型の鋼鉄の板状のピンに関するものである。
【背景技術】
【０００２】
従来は、壁に重量のある木製品等を取り付ける場合は、図４の様に釘を使うかまたは図５の様にネジを使い壁の裏側の下地に固定していた。
【考案の開示】
【考案が解決しようとする課題】
【０００３】
しかしながら、以上の従来の技術では、複数の釘を木材等に打つ場合は真直ぐに揃えて木材等に打ち込む事が難しく、取り外し後の釘穴も大きく目立ち補修も難しく、ネジの場合はさらに取り外し後の傷穴が目立った。そこでこの考案は釘打ちと同様の強度を保ち、形状を板状にすることにより、その木製品等を取り外した際の壁と木材等の傷が小さく目立たなく、先端を２箇所にする事で２箇所同時に揃えて固定できるピンを提供することを課題とする。
【課題を解決するための手段】
【０００４】
以上の課題を解決するために、請求項１の考案は、ピンの刃物状の二つの先端部分が同時に、木材などに刺さる為、二つの先端部分を同じ角度で打ち込むことが出来、板状なので大きな曲げモーメントやせん断力を負担させる事が出来、取り外した場合の傷跡の幅が小さく目立たないことを特徴とるコの字型の鋼鉄の板状のピンである。
【考案の効果】
【０００５】
以上説明したように、この考案のピンは、壁等に重量のある木製品等を簡単に取り付けることが出来、取り外し後の壁や木製品の傷もピンの先端が薄いので刃物で切った状態になり、傷の幅が小さく目立たない。
【考案を実施するための最良の形態】
【０００６】
この考案の一実施形態を、図１に示す。材質は鋼鉄で、板状であり厚みは市販されているフック付き斜めピンの径と同じ１ｍｍ程度であり先端部分１は2箇所あり、刃物状に薄くなっていて先端に続く板状の木製品と壁に打ち込まれる部分２はコの字型につながり中央部分３はピンを打ち込んだ際も外から見える。この実施形態で、板状のピンの先端部分を縦に使い図２の様に木製品等にピンを打ち込み壁等に取り付ければピンは大きい曲げモーメントやせん断力を負担することが出来る。
【産業上の利用可能性】
【０００７】
この考案はコの字型の鋼鉄の板状のピンであり、ベニヤ板や木材、金属、プラスチック製品等を壁等や木材等に強固に固定する為に使えて、ピンを取り外した場合もピンの傷も小さい。またこの考案の材料は鉄であるが強度さえ保つことが出来ればステンレススチールやチタンなどの他の材料でも製作可能である。また板状の材料の厚みや幅を大きくすればさらに高強度の製品も製作可能である。
【図面の簡単な説明】
【０００８】
【図１】この考案の一実施形態を示す姿図である。
【図２】この考案の使用例で板状のピンを木製品の上部に斜め下向きに打ち込み木製品を壁に取り付けた状態の断面図である。
【図３】この考案の使用例図２の木製品を壁に取り付けた姿図である。
【図４】従来の、釘で木製品を壁に取り付ける方法を示す断面図である。
【図５】従来の、ネジで木製品を壁に取り付ける方法を示す断面図である。
【符号の説明】
【０００９】
１  鋼鉄の板状のピンの刃物状の先端部分  
２  ピンの先端に続く板状部分
３  ２箇所のピン部分を繋ぐ中央部分
４  壁に取り付けられた木製品
５  壁  
６  木製品を固定する釘
７  木製品を固定するネジ
８  壁裏側の壁下地木材
【図１】
0003125899.tif 000003
【図２】
0003125899.tif 000004
【図３】
0003125899.tif 000005
【図４】
0003125899.tif 000006
【図５】
0003125899.tif 000007